(57)【要約】【課題】  車載機器にて、外部機器側の音声などを再生したい場合などに端子同士を接続するパネル装置を提供する。【解決手段】  カーオーディオ２に取り付けられるパネル本体３Ａと、カーオーディオ２背部のジャックに接続されるプラグを一端部に備えた音声用接続ケーブル３Ｂ、３Ｃと、接続ケーブル３Ｂ、３Ｃの他端部が接続されてパネル本体３Ａの前面に露呈するＡＵＸ端子ｃと、を備えたＡＵＸ付フェイスパネル（Ｌ）３を設けた。従って、例えば、カーオーディオ１と携帯音楽プレーヤーの端子同士の接続作業性向上などが図れる。【選択図】  図１
0003166544.tif 000002
【実用新案登録請求の範囲】
【請求項１】
車載機器の背面に位置する外部入力および外部出力のうち少なくとも一方の端子と、外部機器の外部出力および外部入力のうち少なくとも一方の端子とを接続するべく、車載機器に装着されるパネル装置であって、車載機器の前部の周部分の一部に取り付けられる接続用パネル本体と、該接続用パネル本体の背部に配置され、前記車載機器の端子に接続される接続部を一端部に備えた接続ケーブルと、該接続ケーブルの他端部が電気的に接続され、前記接続用パネル本体の背面から前面へと貫通取付されて該接続用パネル本体の前面に露呈し、前記外部機器の端子が接続される接続端子部と、を備えた接続端子部付パネルを含んで構成されたことを特徴とする車載機器用のパネル装置。
【請求項２】
車載機器の背面に位置する外部入力および外部出力のうち少なくとも一方の端子と、外部機器の外部出力および外部入力のうち少なくとも一方の端子とを接続するべく、車載機器に装着されるパネル装置であって、車載機器の前部の周部分の一部に取り付けられる接続用パネル本体と、該接続用パネル本体の背部に配置され、前記車載機器の端子に接続される接続部を一端部に備えた接続ケーブルと、該接続ケーブルの他端部が電気的に接続され、前記接続用パネル本体の背面から前面へと貫通取付されて該接続用パネル本体の前面に露呈し、前記外部機器の端子が接続される接続端子部と、を備えた接続端子部付パネルと、前記車載機器の前部の周部分の一部に前記接続端子部付パネルの接続用パネル本体と線対称をなして取り付けられる化粧用パネル本体を備えた化粧パネルと、を含んで構成されたことを特徴とする車載機器用のパネル装置。
【請求項３】
前記接続端子部付パネルの接続用パネル本体と前記化粧パネルの化粧用パネル本体は、連接部を介して互いに連接した一体成形品の単一のパネル本体からなることを特徴とする請求項２記載の車載機器用のパネル装置。
【請求項４】
前記一体成形品の単一のパネル本体は、前記連接部によって、車載機器の前部の周部分を取り囲むような枠型に連接されて一体成形されることを特徴とする請求項３記載の車載機器用のパネル装置。
【請求項５】
前記車載機器の端子は、右音声入力端子と左音声入力端子であり、それぞれの端子に接続される２本の接続ケーブルを備えてなることを特徴とする請求項１〜４のうちいずれか１つに記載の車載機器用のパネル装置。
【請求項６】
前記車載機器の端子は、右音声入力端子、左音声入力端子および映像入力端子であり、それぞれの端子に接続される３本の接続ケーブルを備えてなることを特徴とする請求項１〜５のうちいずれか１つに記載の車載機器用のパネル装置。
【請求項７】
前記車載機器は運転席前方のインストルメントパネルに陥凹形成された収納スペースに収められ、前記車載機器に装着された接続端子部付パネルの接続ケーブルは、該車載機器と該収納スペースとの間に形成される隙間を通して車載機器の背部に至り、該接続端子部付パネルによって、前記隙間の前面開口部が塞がれることを特徴とする請求項１、５及び６のうちいずれか１つに記載の車載機器用のパネル装置。
【請求項８】
前記車載機器は運転席前方のインストルメントパネルに陥凹形成された収納スペースに収められ、前記車載機器に装着された接続端子部付パネルの接続ケーブルは、該車載機器と該収納スペースとの間に形成される一方の隙間を通して車載機器の背部に至り、該接続端子部付パネルおよび前記車載機器に装着された化粧パネルによって、前記一方の隙間の前面開口部および前記車載機器と前記収納スペースとの間に形成される他方の隙間の前面開口部が塞がれることを特徴とする請求項２〜７のうちいずれか１つに記載の車載機器用のパネル装置。
【考案の詳細な説明】
【技術分野】
【０００１】
本考案は、例えば、カーオーディオ、カーナビゲーションなどの音声機器および映像機器等の常設された車載機器にて、携帯音楽プレーヤー、ＤＶＤプレーヤー、ＭＤ（ミニディスク）プレーヤー、ゲームなどの外部機器の記憶メディアに記憶された音声や映像を再生したい場合などに端子同士を接続するための車載機器用のパネル装置に関し、特に、端子同士の接続に係る作業性向上および車載機器周囲の美観向上などを図る技術に関する。
【背景技術】
【０００２】
車両に搭載されたカーオーディオ、カーナビゲーションなどの車載機器で、携帯音楽プレーヤー、ＤＶＤ（デジタルバーサタイルディスク）プレーヤー、ＭＤ（ミニディスク）プレーヤー、ゲームなどの外部機器の記憶メディアにに記憶された音声や映像を再生したい場合などでは、これらカーオーディオ、カーナビゲーションなどに装備されている外部入力端子と外部機器に装備されている外部出力端子とを接続ケーブルを使用して電気的に接続する必要がある（特許文献１〜４参照）。
【０００３】
これらカーオーディオ、カーナビゲーションなどの車載機器の外部入力端子がこれらの車載機器の前面に設けられているものでは、何ら接続作業上の煩わしさはないが、車載機器の前面はスペースが限られているため、外部入力端子は、車載機器の大部分は、その背面に設けられている。
【０００４】
一般に、カーオーディオ、カーナビゲーションなどの車載機器は、運転席前方のインストルメントパネルに陥凹形成された収納スペースに収められているが、インストルメントパネルの限られたスペースをできるだけ有効利用できるようにするため車載機器と収納スペースとの間の隙間は小さく、上述のような接続ケーブルを車載機器の背面に差し入れ、かつ、外部入力端子に差し込んで接続する作業が非常に煩わしい。
【０００５】
また、接続ケーブルを車載機器と収納スペースとの間の隙間を通して接続しているのが露出して見えるため、車載機器周囲の煩雑な感は否めず、インストルメントパネルの美観が損なわれると言う問題があった。
【０００６】
このため、例えば、特許文献２では、インストルメントパネルに陥凹形成されているオーディオ収納スペースに、オーディオ装置と、該オーディオ装置と電気的に接続可能な外部入力端子を前部に有する収納ボックスとを収納するようにしている。
【０００７】
しかし、この従来技術では、オーディオ収納スペースを、収納ボックスも収納する分だけ拡大して形成しなくてはならず、オーディオ装置を既に設置している既存のインストルメントパネルに適用するのは難しい。また、インストルメントパネルに多大なスペースが必要になり、該インストルメントパネルのスペースを有効利用できないという問題点がある。
【先行技術文献】
【特許文献】
【０００８】
【特許文献１】特開２００１−１２８２８０号公報
【特許文献２】特開２００８−１２６９３８号公報
【特許文献３】特開２００８−２０５６２８号公報
【特許文献４】特開２０１０−１２０４４６号公報
【考案の概要】
【考案が解決しようとする課題】
【０００９】
解決しようとする問題点は、カーオーディオ、カーナビゲーションなどの車載機器に装備されている外部入力端子などと携帯音楽プレーヤーなどの外部機器に装備されている外部出力端子などとを接続する場合に、その接続作業が煩わしい点、車載機器周囲が美観に劣る点、車載機器を既に設置している既存のインストルメントパネルなどに適用できない点およびインストルメントパネルなどのスペースを有効利用できない点である。
【課題を解決するための手段】
【００１０】
請求項１に係る考案の車載機器用のパネル装置は、車載機器の背面に位置する外部入力および外部出力のうち少なくとも一方の端子と、外部機器の外部出力および外部入力のうち少なくとも一方の端子とを接続するべく、車載機器に装着されるパネル装置であって、車載機器の前部の周部分の一部に取り付けられる接続用パネル本体と、該接続用パネル本体の背部に配置され、前記車載機器の端子に接続される接続部を一端部に備えた接続ケーブルと、該接続ケーブルの他端部が電気的に接続され、前記接続用パネル本体の背面から前面へと貫通取付されて該接続用パネル本体の前面に露呈し、前記外部機器の端子が接続される接続端子部と、を備えた接続端子部付パネルを含んで構成されたことを特徴とする  
【００１１】
請求項２に係る考案の車載機器用のパネル装置は、車載機器の背面に位置する外部入力および外部出力のうち少なくとも一方の端子と、外部機器の外部出力および外部入力のうち少なくとも一方の端子とを接続するべく、車載機器に装着されるパネル装置であって、車載機器の前部の周部分の一部に取り付けられる接続用パネル本体と、該接続用パネル本体の背部に配置され、前記車載機器の端子に接続される接続部を一端部に備えた接続ケーブルと、該接続ケーブルの他端部が電気的に接続され、前記接続用パネル本体の背面から前面へと貫通取付されて該接続用パネル本体の前面に露呈し、前記外部機器の端子が接続される接続端子部と、を備えた接続端子部付パネルと、前記車載機器の前部の周部分の一部に前記接続端子部付パネルの接続用パネル本体と線対称をなして取り付けられる化粧用パネル本体を備えた化粧パネルと、を含んで構成されたことを特徴とする。
【００１２】
請求項３に係る考案は、前記接続端子部付パネルの接続用パネル本体と前記化粧パネルの化粧用パネル本体は、連接部を介して互いに連接した一体成形品の単一のパネル本体からなることを特徴とする。
【００１３】
請求項４に係る考案は、前記一体成形品の単一のパネル本体は、前記連接部によって、車載機器の前部の周部分を取り囲むような枠型に連接されて一体成形されることを特徴とする。
【００１４】
請求項５に係る考案は、前記車載機器の端子は、右音声入力端子と左音声入力端子であり、それぞれの端子に接続される２本の接続ケーブルを備えてなることを特徴とする。
【００１５】
請求項６に係る考案は、前記車載機器の端子は、右音声入力端子、左音声入力端子および映像入力端子であり、それぞれの端子に接続される３本の接続ケーブルを備えてなることを特徴とする。
【００１６】
請求項７に係る考案は、前記車載機器は運転席前方のインストルメントパネルに陥凹形成された収納スペースに収められ、前記車載機器に装着された接続端子部付パネルの接続ケーブルは、該車載機器と該収納スペースとの間に形成される隙間を通して車載機器の背部に至り、該接続端子部付パネルによって、前記隙間の前面開口部が塞がれることを特徴とする。
【００１７】
請求項８に係る考案は、前記車載機器は運転席前方のインストルメントパネルに陥凹形成された収納スペースに収められ、前記車載機器に装着された接続端子部付パネルの接続ケーブルは、該車載機器と該収納スペースとの間に形成される一方の隙間を通して車載機器の背部に至り、該接続端子部付パネルおよび前記車載機器に装着された化粧パネルによって、前記一方の隙間の前面開口部および前記車載機器と前記収納スペースとの間に形成される他方の隙間の前面開口部が塞がれることを特徴とする。
【考案の効果】
【００１８】
請求項１および２に係る考案の車載機器用のパネル装置によれば、接続端子部付パネルをカーオーディオ、カーナビゲーションなどの車載機器に装着すれば、該車載機器の背面に、外部入力および外部出力のうち少なくとも一方の端子を備えているものであっても、例えば、携帯音楽プレーヤー、ＤＶＤプレーヤーなどの外部機器側の接続ケーブルを、車載機器の前面側に位置する接続端子に簡単に接続して、車載機器にて、外部機器の記憶メディアに記憶された音声や映像を再生できるようになる。
【００１９】
この結果、接続ケーブルをカーオーディオ、カーナビゲーションなどの背面に差し入れ、かつ、外部入力端子に差し込んで端子同士を接続する非常に煩わしい作業が必要なくなる。
【００２０】
特に、請求項７および８のように、接続端子部付パネルの接続ケーブルは、車載機器とインストルメントパネルなどの収納スペースとの間に形成される隙間を通して車載機器の背部に至り、接続端子部付パネルおよび化粧パネルによって、前記隙間の前面開口部が塞がれるため、接続ケーブルを前記隙間を通して接続しているのが露出せず一切見えないため、カーオーディオ、カーナビゲーションなどの周囲がスマートになり、例えば、インストルメントパネルの美観が良くなる。
【００２１】
また、請求項２に係る考案の車載機器用のパネル装置によれば、接続端子部付パネルと化粧パネルとの両方を装着したから、例えば、車載機器の左右などが線対称的な形状になり、カーオーディオ、カーナビゲーションなどやインストルメントパネルの美観がよりさらに良くなる。
【００２２】
特に、請求項３および４に係る考案の車載機器用のパネル装置のように、接続用パネル本体と化粧用パネル本体を、連接部を介して互いに連接した一体成形品の枠型などの形状の単一のパネル本体から構成すれば、接続端子部付パネルと化粧パネルとの２つのパネルを別々に取り付けなくとも良いため取付作業性に優れると共に、部品数も少なくなり部品管理も楽になる。しかも、カーオーディオ、カーナビゲーションなどの周囲に位置するため、これらやインストルメントパネルの美観がさらにも増して優れたものとなる。
【００２３】
さらに、請求項１および２に係る考案の車載機器用のパネル装置によれば、従来技術のようにカーオーディオなどの収納スペースを拡大形成する必要がなく、カーオーディオなどを既に設置しているものでは、このカーオーディオなどに、接続端子部付パネルを装着すれば良いだけであるから、既存のインストルメントパネルなどに適用するのも容易である。しかも、インストルメントパネルなどは何ら変える必要がないため、該インストルメントパネルなどのスペースを今まで通り有効利用することができる。
【００２４】
請求項５に係る考案の車載機器用のパネル装置によれば、車載機器にて、外部機器の記憶メディアに記憶された音声を再生でき、例えば、カーオーディオにて携帯音楽プレーヤーにセットされたメディアの音楽などを聞くことができる。
【００２５】
請求項６に係る考案の車載機器用のパネル装置によれば、車載機器にて、外部機器の記憶メディアに記憶された音声と映像を再生でき、例えば、カーナビゲーションにてＤＶＤプレーヤーにセットされたディスクの映画などを見ることができる。
【図面の簡単な説明】
【００２６】
【図１】図１は、本考案に係る車載機器用のパネル装置の実施例１を示す図で、（Ａ）は正面図、（Ｂ）はその左側面図である。
【図２】図２は、同上のパネル装置のパネル本体の構造を示す図で、（Ａ）は正面図、（Ｂ）はその右側面図、（Ｃ）は（Ｂ）中Ａ−Ａ矢視断面図である。
【図３】図３は、同上のパネル装置のパネル本体の構造を示す図で、（Ａ）は背面図、（Ｂ）はその右側面図である。
【図４】図４は、同上のパネル装置のジャック成形品の構造を示す図で、（Ａ）は平面図、（Ｂ）は正面図、（Ｃ）はその左側面図である。
【図５】図５は、本考案に係る車載機器用のパネル装置の実施例２を示す左側面図である。
【図６】図６は、本考案に係る車載機器用のパネル装置の実施例３を示す正面図である。
【考案を実施するための形態】
【００２７】
例えば、カーオーディオ、カーナビゲーションなどの音声機器および映像機器等の常設された車載機器にて、携帯音楽プレーヤー、ＤＶＤプレーヤー、ＭＤ音楽プレーヤー、ゲームなどの外部機器の記憶メディアに記憶された音声や映像を再生したい場合などに端子同士を接続する作業を向上するなどの目的を、車載機器に取り付けられるパネル装置により実現した。
【実施例１】
【００２８】
図１（Ａ）、（Ｂ）は、本考案に係る車載機器用のパネル装置の実施例１の正面図および左側面図を示している。
【００２９】
この実施例１のパネル装置１は、車載機器としてのカーオーディオ２にて、外部機器としての図示しない携帯音楽プレーヤーの記憶メディアに記憶された音声を再生したい場合に、カーオーディオ２の背面に位置する外部入力端子としてのジャック（図示せず）と、携帯音楽プレーヤーの外部出力端子が接続される接続ケーブルのプラグ（図示せず）とを接続するべく、このカーオーディオ２に装着されるものである。
【００３０】
この図において、パネル装置１は、カーオーディオ２の前部の左側部に装着されるＡＵＸ（入力端子：Ａｕｘｉｌｉａｒｙ）付フェイスパネル（Ｌ）３と、該カーオーディオ２の前部の右側部に装着される化粧フェイスパネル（Ｒ）４と、を備えて構成される。これらＡＵＸ付フェイスパネル（Ｌ）３と化粧フェイスパネル（Ｒ）４とは、後述するが、製造上は１セット取りであり、一緒に使用される。
【００３１】
前記のＡＵＸ付フェイスパネル（Ｌ）３は、カーオーディオ２の前部の左側部に取り付けられる接続用パネル本体３Ａと該接続用パネル本体３Ａの背部に配置され、カーオーディオ２の左音声ジャックに接続される接続部としてのＲＣＡピンプラグａを一端部に備えた左音声用の接続ケーブル３Ｂと、これと同様にして、接続用パネル本体３Ａの背部に配置され、前記カーオーディオ２の右音声用ジャックに接続されるＲＣＡピンプラグｂを一端部に備えた右音声用の接続ケーブル３Ｃと、を備えている。
【００３２】
また、ＡＵＸ付フェイスパネル（Ｌ）３は、上記接続ケーブル３Ｂ、３Ｃの他端部が電気的に接続され、接続用パネル本体３Ａの背面から前面へと貫通取付されて該接続用パネル本体３Ａの前面にＡＵＸ端子ｃとして露呈し、携帯音楽プレーヤー側の接続ケーブルのプラグが接続される３極小型単頭ジャック３Ｄと、を備えている。
【００３３】
一方、前記の化粧フェイスパネル（Ｒ）４は、カーオーディオ２の前部の右側部に取り付けられる化粧用パネル本体４Ａを備えている。
【００３４】
次に、ＡＵＸ付フェイスパネル（Ｌ）３の構造について、図２および図３に基づいて説明する。これらの図において、ＡＵＸ付フェイスパネル（Ｌ）３の接続用パネル本体３Ａは、ＡＢＳなどの樹脂により前部３ａと後部３ｂとが一体された長尺部材から形成される。前部３ａは、間隔を持って対向する前壁５ａおよび後壁５ｂと、これらを結ぶ側壁５ｃと、から略断面コ字形状に形成され、長手方向の両端部は、美観を高めるべく丸みを帯びた形状（丸み部５ｄ）に形成されている。
【００３５】
また、前壁５ａの内端縁は、後壁５ｂの内端縁よりも若干前方に張り出して形成されている（張り出し部５ｅ）。さらに、後壁５ｂの外端縁は、側壁５ｃの外面よりも若干側方に補強と装飾を兼ねた連続したリブ５ｆが張り出して形成されている。
【００３６】
一方、後部３ｂは、上記前部３ａの後壁５ｂの内側の端部と直角をなして後方に板状に延びて形成されており、その上部分と略中間部分には、取付ステー５ｇ、５ｈが同方向、すなわち、後方に延びて一体に形成され、これらには、それぞれボルトなどの取付具の挿入孔５ｉ、５ｊが穿たれている。
【００３７】
また、上記前部３ａの下方部には、その前壁５ａおよび後壁５ｂとに、前記後部３ｂと平行な同一中心線を持つジャック取付孔５ｋ、５l がそれぞれ穿たれている。
【００３８】
この場合、前記左音声用の接続ケーブル３Ｂと右音声用の接続ケーブル３Ｃのそれぞれは、接続用パネル本体３Ａの裏部に配設され、この接続ケーブル３Ｂ、３Ｃの信号線は、図４（Ａ）〜（Ｃ）に示すように、ジャック成形品６に挿入取付されて、これに保持されたジャック３Ｄに電気的に接続される。
【００３９】
そして、このジャック成形品６は、接続用パネル本体３Ａの前部３ａの後壁５ｂの裏面に装着され、ジャック３Ｄは、前記ジャック取付孔５ｋ、５l に貫通して取り付けられる。この結果、ジャック３Ｄのプラグ接続口、すなわち、ＡＵＸ端子ｃが接続用パネル本体３Ａの前部３ａの前壁５ａ外面から露出するようになっている。
【００４０】
なお、図１〜図３中の７は、ＡＵＸ付フェイスパネル（Ｌ）３の前部３ａの後壁５ｂと後部３Ｂとの境部の補強を行う三角形状のコーナー補強リブであり、上、中、下の離間する３か所に一体形成されている。
【００４１】
また、図２（Ａ）、（Ｂ）中の８は、ＡＵＸ付フェイスパネル（Ｌ）３のジャック取付孔５ｋ、５l 位置において、その前部３ｂの後壁５ｂと側壁５ｃそれぞれの内面に連なって一体形成された略コ字形状のリブであり、前記ジャック取付孔５ｋ、５l に挿入取付されたジャック３Ｄの周囲に位置し、該ジャック３Ｄの挿入ガイドや保護を行う。
【００４２】
一方、図１の化粧フェイスパネル（Ｒ）４であるが、その化粧用パネル本体４Ａの構造については、上述したＡＵＸ付フェイスパネル（Ｌ）３の接続用パネル本体３Ａと全てにわたり対称的な形状であって、かつ、音声用の接続ケーブルなく、さらに、その前部と後部にジャック取付孔を設けない構造であるため、ここでは、説明を省略する。
【００４３】
なお、接続用パネル本体３Ａと化粧用パネル本体４Ａは、例えば、成形型によって樹脂成形され、製造上は１セット取りであって一緒に成形される。
【００４４】
かかるＡＵＸ付フェイスパネル（Ｌ）３と化粧フェイスパネル（Ｒ）４のカーオーディオ２への取付方法について説明する。先ず、カーオーディオ２の左側と右側に、それぞれフェイスパネル（Ｌ）、（Ｒ）３、４を取り付ける。
【００４５】
この場合、フェイスパネル（Ｌ）３を、その接続用パネル本体３Ａの前部３ａの前壁５ａ外面のＡＵＸ端子ｃが下方端に位置し、かつ、該前壁５ａ外面が外方を向くように、カーオーディオ２の左側に配する。
【００４６】
すると、図３（Ｃ）に示すように、カーオーディオ２の側部前面に、接続用パネル本体３Ａの前部３ａの前壁５ａの内端縁の張り出し部５ｅが重合して位置し、カーオーディオ２の側部前面とフェイスパネル（Ｌ）３との境部に隙間ができないようにし、かつ、接続用パネル本体３Ａの後部３ｂが、カーオーディオ２の前部の外側に接触して位置する。
【００４７】
この状態で、取付ステー５ｇ、５ｈを、これの挿入孔５ｉ、５ｊに差し込んだボルトなどの取付具によりカーオーディオ２に締結取付する。そして、パネル本体３における２本の接続ケーブル３Ｂ、３ＣそれぞれのＲＣＡピンプラグを、カーオーディオ２背面の左音声ジャックと左音声ジャックとに、それぞれに差し込んで接続する。
【００４８】
一方、化粧フェイスパネル（Ｒ）４を、カーオーディオ２の右側に配し、フェイスパネル（Ｌ）３と同様にして、該カーオーディオ２の右側に取り付ける（図１参照）。
【００４９】
次に、図示して説明はしないが、カーオーディオ２を、運転席前方のインストルメントパネルに陥凹形成された収納スペースに収納して取り付けると、フェイスパネル（Ｌ）３の、両接続ケーブル３Ｂ、３Ｃは、カーオーディオ２外側面と収納スペース内側面との間に形成される隙間を通して、該カーオーディオ２の背部に至る。
【００５０】
また、両フェイスパネル（Ｌ）、（Ｒ）３、４の前部３ａの後壁５ｂ（フェイスパネル（Ｌ）３のもののみ）によって、カーオーディオ２の両側の前記隙間の開口部が塞がれ、該カーオーディオ２の前面の左側に、フェイスパネル（Ｌ）３に設けられたＡＵＸ端子ｃが露呈して位置する。
【００５１】
従って、例えば、携帯音楽プレーヤー側の接続ケーブルのプラグをＡＵＸ端子に差し込めば、カーオーディオと携帯音楽プレーヤーそれぞれの端子同士が接続されて、カーオーディオにて、携帯音楽プレーヤーの記憶メディアに記憶された音声が再生できるようになる。
【実施例２】
【００５２】
図５は、本考案に係る車載機器用のパネル装置１０の実施例２の左側面図を示している。この実施例２のパネル装置１０は、車載機器としてのカーナビゲーションにて、外部機器としてのＤＶＤプレーヤー（図示せず）における記憶メディアに記憶された音声および映像を再生したい場合に、カーナビゲーションの背面に位置する外部入力端子としてのジャック（図示せず）と、図示しないＤＶＤプレーヤーの外部出力端子と接続される接続ケーブルのプラグとを接続するべく、このカーナビゲーションに装着されるものである。
【００５３】
この図において、パネル装置１０は、先の実施例１と同様に、カーナビゲーション２０の前部の左側部に装着される４極小型単頭ジャックからなるＡＵＸ端子を備えたＡＵＸ付フェイスパネル（Ｌ）３０と、該カーナビゲーション２０の前部の右側部に装着される化粧フェイスパネル（Ｒ）（図示せず）と、を備えて構成される。
【００５４】
前記のフェイスパネル（Ｌ）３０は、カーナビゲーション２０の前部の左側部に取り付けられるパネル本体３０Ａと、それぞれ該パネル本体３０Ａの背部に配置され、該カーナビゲーション２０の左音声用のジャックおよび右音声用のジャックに接続されるＲＣＡピンプラグａ、ｂを一端部に備えた左音声用の接続ケーブル３０Ｂおよび右音声用の接続ケーブル３０Ｃおよびカーナビゲーション２０の映像ジャックに接続されるＲＣＡピンプラグｄを一端部に備えた映像用の接続ケーブル３０Ｅと、を備えている。
【００５５】
また、フェイスパネル（Ｌ）３０は、これらの接続ケーブル３０Ａ、３０Ｃ、３０Ｅの他端部が電気的に接続され、パネル本体３０Ａの背面から前面へと貫通取付されて該パネル本体３０Ａの前面に露呈し、ＤＶＤプレーヤー側の接続ケーブルのプラグが接続される４極小型単頭ジャック３０ＤからなるＡＵＸ端子ｃを備えている。
【００５６】
この実施例２のＡＵＸ付フェイスパネル（Ｌ）３０の構造は、先の実施例１のものと略同様であり、左音声用の接続ケーブル３０Ｂ、右音声用の接続ケーブル３０Ｃおよび映像用の接続ケーブル３０Ｅと、これらの信号線が接続されるジャック３０Ｄと、これが保持されるジャック成形品６０と、ジャック３０ＤからなるＡＵＸ端子ｃと、を備えている。
【００５７】
また、化粧フェイスパネル（Ｒ）の構造も、先の実施例１のものと同様であり、説明を省略する。かかるＡＵＸ付フェイスパネル（Ｌ）３０と化粧フェイスパネル（Ｒ）のカーナビゲーション２０への取付方法については、実施例１に対して、映像用の接続ケーブル３０Ｅが増えただけであるから、該実施例１のものと同様であり、説明を省略する。
【００５８】
従って、この実施例２においては、カーナビゲーション２０の前面の左側にＡＵＸ付フェイスパネル（Ｌ）３０によるＡＵＸ端子ｃが露呈して位置するから、例えば、ＤＶＤプレーヤー側の接続ケーブルのプラグをＡＵＸ端子ｃに差し込めば、カーナビゲーション２０とＤＶＤプレーヤーそれぞれの端子同士が接続されて、カーナビゲーション２０にて、ＤＶＤプレーヤーの記憶媒体に記憶された音声および映像が再生できるようになる。
【実施例３】
【００５９】
なお、上述した接続用パネル本体３Ａ、３０Ａと化粧用パネル本体４Ａは、一体に成形しても良い。すなわち、図６は、本考案に係る車載機器用のパネル装置１００の実施例３の正面図を示している。この実施例３のパネル装置１００は、ＡＵＸ付フェイスパネル（Ｌ）３、３０の接続用パネル本体３Ａ、３０Ａと化粧フェイスパネル（Ｒ）４の化粧用パネル本体４Ａを、上下平行な２つの連接部３Ｅを介して互いに連接した一体成形品の単一のパネル本体１００Ａからなる。
【００６０】
この実施例３の場合、前記連接部３Ｅは、接続用パネル本体３Ａ、３０Ａと化粧用パネル本体４Ａの前壁５ａの一部とリブ５ｆとをそれぞれ延設することで細い桟形状に形成されていて、パネル本体１００Ａが枠型に形成されている。従って、このパネル本体１００Ａがカーオーディオ２やカーナビゲーション２０の前部の周部分を取り囲むように取り付けられる。この場合、例えば、パネル本体１００Ａを、成形型によって一体に樹脂成形すれば良い。
【００６１】
かかる実施例１〜３によれば、ＡＵＸ付フェイスパネル（Ｌ）３、３０を、カーオーディオ２、カーナビゲーション２０などの車載機器に装着すれば、該車載機器の背面に、外部入力端子を備えているものであっても、例えば、携帯音楽プレーヤー、ＤＶＤプレーヤーなどの外部機器側の接続ケーブルを、車載機器の前面側に位置するＡＵＸ端子ｃに簡単に接続して、車載機器にて、外部機器の記憶メディアに記憶された音声や映像を再生できるようになる。
【００６２】
すなわち、カーオーディオ２にて携帯音楽プレーヤーにセットされた記憶メディアの音楽などを聞くことができ、カーナビゲーション２０にてＤＶＤプレーヤーにセットされたディスクの映画などを見ることができる。
【００６３】
従って、接続ケーブルをカーオーディオ２、カーナビゲーション２０などの背面に差し入れ、かつ、外部入力端子に差し込んで端子同士を接続する非常に煩わしい作業が必要なくなる。
【００６４】
また、ＡＵＸ付フェイスパネル（Ｌ）３、３０の接続ケーブル３Ｂ、３Ｃ、３０Ｂ、３０Ｃ、３０Ｅは、車載機器とインストルメントパネルなどの収納スペースとの間に形成される隙間を通して車載機器の背部に至り、ＡＵＸ付フェイスパネル（Ｌ）３、３０および化粧フェイスパネル４（実施例１のみ記す）によって、前記隙間の前面開口部が塞がれるため、接続ケーブルを３Ｂ、３Ｃ、３０Ｂ、３０Ｃ、３０Ｅを前記隙間を通して接続しているのが露出せず一切見えないため、カーオーディオ２、カーナビゲーション２０などの周囲がスマートになり、例えば、インストルメントパネルの美観が良くなる。
【００６５】
また、ＡＵＸ付フェイスパネル（Ｌ）３、３０と化粧フェイスパネル（Ｒ）４（実施例１、３のみ記す）との両方を装着したから、例えば、車載機器の左右などが線対称的な形状になり、カーオーディオ、カーナビゲーションなどやインストルメントパネルの美観がよりさらに良くなる。
【００６６】
特に、実施例３のように、接続用パネル本体３Ａ、３０Ａと化粧用パネル本体４Ａを、連接部３Ｅを介して互いに連接した一体成形品の枠型などの形状の単一のパネル本体１００Ａから構成すれば、ＡＵＸ付フェイスパネル（Ｌ）３、３０と化粧フェイスパネル（Ｒ）４との２つのパネルを別々に取り付けなくとも良いため取付作業性に優れると共に、部品数も少なくなり部品管理も楽になる。しかも、カーオーディオ２、カーナビゲーション２０などの周囲に位置するため、これらやインストルメントパネルの美観がさらにも増して優れたものとなる。
【００６７】
また、従来技術のようにカーオーディオなどの収納スペースを拡大形成する必要がなく、カーオーディオなどを既に設置しているものでは、このカーオーディオなどに、接続端子部付パネルを装着すれば良いだけであるから、既存のインストルメントパネルなどに適用するのも容易である。しかも、インストルメントパネルなどは何ら変える必要がないため、該インストルメントパネルなどのスペースを今まで通り有効利用することができる。
【００６８】
なお、本実施例においては、車載機器としてのカーオーディオ２、カーナビゲーション２０と外部機器としての携帯音楽プレーヤー、ＤＶＤの端子同士の接続を例にとって説明したが、その他の種類の車載機器と外部機器の端子同士を接続する場合に、本考案のパネル装置を適用しても良い。
【００６９】
例えば、ＵＳＢ端子をフェイスパネルに備え、これにＵＳＢメモリを接続して、ＵＳＢメモリ内の音声、映像を車載機器で再生しても良い。また、ＡＵＸ付フェイスパネル（Ｌ）におけるＡＵＸ端子の数も１つには限らない。
【００７０】
さらに、本実施例においては、車載機器としてのカーオーディオ２、カーナビゲーション２０によって、外部機器としての携帯音楽プレーヤー、ＤＶＤの記憶メディアに記憶された音声や映像を再生したい場合を説明したが、再生に限らず、レコーダー機能がある車載機器に外部機器の記憶メディアに記憶された音声や映像を記憶させる場合にも、端子同士を接続できる本考案の車載機器用のパネル装置を適用しても良い。
【００７１】
また、本実施例とは逆に、外部機器によって、車載機器の記憶メディアに記憶された音声や映像を再生したい場合に、本考案のパネル装置を適用しても良い。この場合、車載機器の背面に位置する外部出力端子と、外部機器の外部入力端子とを接続するパネル装置とすれば良い。例えば、近年、車両に事故映像などを撮影する車載ビデオカメラ（車載機器）が搭載されたものが知られているが、これの映像信号をＤＶＤプレーヤー（外部機器）に出力して、これで再生する用途に用いても良い。
【００７２】
さらに、本実施例においては、車載機器としてのカーオーディオ２、カーナビゲーション２０の右側部に化粧フェイスパネル（Ｒ）を装着したが、これがなく、ＡＵＸ付フェイスパネル（Ｌ）のみを設けたものも、本考案に含まれ、このＡＵＸ付フェイスパネル（Ｌ）は、車載機器の左側に限らず、右側、上側、下側など、車載機器の前部の周部分の一部に装着すれば良く（ＡＵＸ端子の位置も変わる）、化粧フェイスパネル（Ｒ）を装着する場合は、ＡＵＸ付フェイスパネル（Ｌ）に対して線対称位置に装着すれば良い。
【００７３】
また、ＡＵＸ付フェイスパネル（Ｌ）の接続用パネル本体と化粧フェイスパネル（Ｒ）の化粧用パネル本体とを一体成形する場合、実施例３の如く連接部が上下に位置していなくとも良く、ＡＵＸ付フェイスパネル（Ｌ）と化粧フェイスパネル（Ｒ）の位置に応じて、左右などに位置していても良い。
また、前記実施例に示すＲＣＡピンプラグａ、ｂは、車載機器の種類により３極、４極の小型単頭プラグや角型コネクターとしてもよい。
【産業上の利用可能性】
【００７４】
携帯音楽プレーヤー、ＤＶＤプレーヤー側の接続ケーブルを、カーオーディオ、カーナビゲーションの前面側に位置するＡＵＸ付フェイスパネルのＡＵＸ端子に簡単に接続でき、かつ、美観も向上できるため、背面にしか外部入力端子や外部出力端子がないその他の車載機器にもＡＵＸ付フェイスパネルを装着すれば、該車載機器とその他の外部機器とを簡単に接続して、再生などができる用途にも適用できる。
【符号の説明】
【００７５】
１    パネル装置
２  カーオーディオ
３  ＡＵＸ付フェイスパネル（Ｌ）
４  化粧用フェイスパネル（Ｒ）
３Ａ  パネル本体
３Ｂ  接続ケーブル
３Ｃ  接続ケーブル
３Ｄ  ジャック
３Ｅ  連接部
１０  パネル装置
２０  カーナビゲーション
３０  ＡＵＸ付フェイスパネル（Ｌ）
３０Ａ  パネル本体
３０Ｂ  接続ケーブル
３０Ｃ  接続ケーブル
３０Ｄ  ジャック
３０Ｅ  接続ケーブル
１００  パネル装置
１００Ａ  パネル本体
ｃ  ＡＵＸ端子
【図１】
0003166544.tif 000003
【図２】
0003166544.tif 000004
【図３】
0003166544.tif 000005
【図４】
0003166544.tif 000006
【図５】
0003166544.tif 000007
【図６】
0003166544.tif 000008